(57)【特許請求の範囲】
【請求項１】
電力ケーブルの端末部から露出された導体に装着されて表面に通電接触子を有する導体接続金具の先端側に装着されるカバー本体と、
前記カバー本体と一体化されて前記通電接触子の外側を覆うように設けられ、前記カバー本体との接続部を破断することによって前記カバー本体から分離可能に設けられる通電接触子保護部と、
を備えたことを特徴とする電力ケーブル用導体接続金具の保護カバー。
【請求項２】
前記カバー本体は、前記導体接続金具を接続する接続部本体を形成する絶縁体よりも柔らかい材質の熱可塑性樹脂又は合成ゴムからなることを特徴とする請求項１に記載の電力ケーブル用導体接続金具の保護カバー。
【請求項３】
前記通電接触子保護部は、前記カバー本体に嵌め込み結合されていることを特徴とする請求項１に記載の電力ケーブル用導体接続金具の保護カバー。
【請求項４】
前記通電接触子保護部は、その軸方向に１つ以上のミシン目又はスリットが設けられていることを特徴とする請求項１に記載の電力ケーブル用導体接続金具の保護カバー。
【請求項５】
前記通電接触子保護部は、その内径が前記カバー本体の外径よりも大きいことを特徴とする請求項１に記載の電力ケーブル用導体接続金具の保護カバー。
【請求項６】
電力ケーブルの端末部から露出された導体と、
前記導体に接続される導体接続金具と、
前記導体接続金具の先端側に装着される請求項１〜５項のいずれか１項に記載の電力ケーブル用導体接続金具の保護カバーのカバー本体と、
を備えていることを特徴とする電力ケーブル用導体接続部。
【発明の詳細な説明】
【技術分野】
【０００１】
本発明は、電力ケーブル用導体接続金具の保護カバー及びそれを用いた電力ケーブル用導体接続部に関するものである。
【背景技術】
【０００２】
高電圧用電力ケーブルの終端接続部として、そのケーブル導体に電力ケーブル用導体接続金具（以下、導体接続金具という）を装着した電力ケーブルの導体接続部と、この導体接続金具を、例えば、Ｙ字分岐構造を有する接続部本体に挿入することにより分岐接続を備えたＹ分岐終端接続部がある。導体接続金具は、例えば、電力ケーブルの端末部から露出させた導体に外嵌される筒状の金属導体であり、その略中央部には、接続部本体との電気的接触を良好にするための通電接触子が設けられている。
【０００３】
電力ケーブルの導体接続部を接続部本体に挿入する際、導体接続金具で接続部本体の内周面に傷を付けたり金属粉を付着させると、接続部本体の電気的特性が著しく悪化する。そこで、導体接続金具の導体部分に円筒状のプラスチック製保護カバー（以下、保護カバーという）を設け、電力ケーブルの導体接続部の接続部本体への挿入完了後にカバーを取り外すようにした電力ケーブル終端接続部の組み立て方法がある（例えば、特許文献１参照）。
【０００４】
特許文献１に示される保護カバーは、半径方向に２分割できるように構成されており、これを導体接続金具の導体部分に手作業により装着した後、粘着性塩化ビニル樹脂混和物テープ（以下、テープという）を巻き付け、電力ケーブルの導体接続部を接続部本体へ挿入後、作業者がテープを剥ぎ取り、更にカバーをスライドさせて取り去るという手順で使用される。
【特許文献１】特開２００３−１８９４５３号公報
【発明の開示】
【発明が解決しようとする課題】
【０００５】
しかし、従来の保護カバーによると、導体接続金具に固定するためのテープの巻き付け作業が必要になるとともに、接続作業後に保護カバーをスライドさせて取り去るためのスペースが必要になる。
【０００６】
従って、本発明の目的は、取り付けにテープを必要とせず、かつ、導体接続金具から不要部分を取り去るためのスペースを必要としない電力ケーブル用導体接続金具の保護カバー及びそれを用いた電力ケーブル用導体接続部を提供することにある。
【課題を解決するための手段】
【０００７】
本発明は、上記目的を達成するため、電力ケーブルの端末部から露出された導体に装着されて表面に通電接触子を有する導体接続金具の先端側に装着されるカバー本体と、前記カバー本体と一体化されて前記通電接触子の外側を覆うように設けられ、前記カバー本体との接続部を破断することによって前記カバー本体から分離可能に設けられる通電接触子保護部と、を備えたことを特徴とする電力ケーブル用導体接続金具の保護カバーを提供する。
【０００８】
上記電力ケーブル用導体接続金具の保護カバーにおいて、カバー本体は、導体接続金具を接続する接続部本体を形成する絶縁体よりも柔らかい材質の熱可塑性樹脂又は合成ゴムからなることが好ましい。また、通電接触子保護部は、カバー本体に嵌め込み結合されているものであっても良い。また、通電接触子保護部は、その軸方向に１つ以上のミシン目又はスリットが設けられていても良く、その内径がカバー本体の外径よりも大きいことが好ましい。
【０００９】
また、本発明は、上記目的を達成するため、電力ケーブルの端末部から露出された導体と、前記導体に接続される導体接続金具と、前記導体接続金具の先端側に装着される請求項１〜５項のいずれか１項に記載の電力ケーブル用導体接続金具の保護カバーのカバー本体と、を備えていることを特徴とする電力ケーブル用導体接続部を提供する。
【発明の効果】
【００１０】
本発明の電力ケーブル用導体接続金具の保護カバー及びそれを用いた電力ケーブル用導体接続部によれば、取り付けにテープを必要とせず、かつ、導体接続金具から不要部分を取り去るためのスペースを不要にできる。
【発明を実施するための最良の形態】
【００１１】
［第１の実施の形態］
図１は、本発明の第１の実施の形態に係る電力ケーブル用導体接続部を示す概略図である。
【００１２】
この電力ケーブル用導体接続部１は、電力ケーブル１０の導体１０ａにボルト２によって取り付けられる導体接続金具３と、導体接続金具３に隣接させて電力ケーブル１０の端末部に設けられるプレモールドストレスコーン４と、プレモールドストレスコーン４に隣接して設けられて後述する接続部本体とねじ固定されるフランジ５を有したケーブル保護金具６と、ケーブル保護金具６の他端から電力ケーブル１０の外層の所定長の部分を防水ならびに絶縁する防水処理部７とを備えている。
【００１３】
図２は、図１に示す電力ケーブル用導体接続部の導体接続金具を示す部分拡大図である。なお、図２においては説明を容易にするために一部断面図示としている。
【００１４】
導体接続金具３は、中心部に導体１０ａが挿入される図示しない孔を有する円筒状の金具本体３１と、金具本体３１の略中央部外周に複数の接触子を環状に配置して設けられる通電接触子３２と、金具本体３１の先端側であって後述する保護カバー３３を装着するために設けられる装着部３Ａとを備えている。この装着部３Ａには、嵌め込みにより装着されて金具本体３１の先端側外周面と通電接触子３２の外周を包囲し覆うように保護カバー３３が設けられる。導体接続金具３と導体１０ａとの間に設けられる図示しないくさび状の締付け部材及び導体接続金具３の先端にねじ結合するボルト２の締付けに基づいて導体接続金具３と導体１０ａとを密着接続させることで、導体接続金具３が導体１０ａに固定される。
【００１５】
図３は、本発明の第１の実施の形態に係る電力ケーブル用導体接続金具の保護カバーを示し、（ａ）は側面図、（ｂ）は（ａ）のＢ方向から見た図、（ｃ）は（ｂ）のＣ−Ｃ部における断面図である。
【００１６】
保護カバー３３は、先端が曲面で形成された円筒状のカバー本体３３１と、このカバー本体３３１よりも内径が大径で肉薄に形成され、カバー本体３３１との接続部である接続片３３２Ａ，３３２Ｂによってカバー本体３３１に部分的に接続されたリング状の通電接触子保護部３３３とを備えている。
【００１７】
カバー本体３３１は、導体接続金具３の装着部３Ａに嵌め込みにより装着可能に形成され、通電接触子保護部３３３は、その内径が通電接触子３２の外周を包囲して保護するサイズで形成されている。また、カバー本体３３１は、通電接触子３２の外径よりも小さい金具本体３１の装着部３Ａに通電接触子３２の外径と同じ大きさ又は僅かに小さくなるような厚さで形成される。
【００１８】
通電接触子保護部３３３は、図１の電力ケーブル用導体接続部１とともに電力ケーブル用Ｙ分岐終端接続部を構成する図４に示す接続部本体２０に導体接続金具３を接続する直前に接続片３３２Ａ，３３２Ｂを破断することによりカバー本体３３１から分離し除去される。また、カバー本体３３１は導体接続金具３の装着部３Ａに装着された状態で残される。なお、カバー本体３３１の導体接続金具３への取り付けは嵌め込みに限らず、接着、又はねじ込み等によって行われるものであっても良い。
【００１９】
また、通電接触子保護部３３３は、接続片３３２Ａ，３３２Ｂによる２カ所でカバー本体３３１に接続するものとしたが、３カ所以上で接続される構成であってもよい。
【００２０】
この保護カバー３３は、接続部本体２０との接触によって接続部本体２０側に傷等の損傷を生じることのないように後述する絶縁体２２よりも柔らかい材質の材料を用いて作られている。例えば、絶縁体２２をエポキシ樹脂とした場合、保護カバー３３は、熱可塑性樹脂又は合成ゴムが好ましい。この一例として、ポリエチレン樹脂（高密度、中密度、低密度）、架橋ポリエチレン、塩化ビニル樹脂、ポリプロピレン樹脂、ポリアセタール樹脂等の熱可塑性樹脂及びクロロプレンゴム、フッ素ゴム、シリコーンゴム、ＥＰゴム、ニトリルゴム等の合成ゴムがある。
【００２１】
図４は、電力ケーブル用Ｙ分岐終端接続部の接続部本体を部分的に示す断面図である。
【００２２】
接続部本体２０は、例えば、Ｙ字分岐が可能に構成された埋込金具２１と、後述する複数の開口を有するとともに埋込金具２１を取り囲むように設けられた絶縁体２２と、絶縁体２２の表面を覆うように設けられた保護ケース２３とを備えている。
【００２３】
埋込金具２１は、銅、銅合金等の導電体からなり、導体接続金具３が挿入される挿入口２１ａと、挿入口２１ａと逆方向に形成されて図示しない分岐先の電力ケーブルに装着された導体接続金具が挿入される挿入口２１ｂ，２１ｃとを有する。
【００２４】
絶縁体２２は、上記したように、エポキシ樹脂等からなり、埋込金具２１の挿入口２１ａに連通するとともに導体接続金具３の通電接触子３２及びプレモールドストレスコーン４が嵌入可能な開口２２ａと、挿入口２１ｂ，２１ｃに連通する開口２２ｂ，２２ｃとを有する。
【００２５】
保護ケース２３は、金属等の導電体からなり、開口２２ａの部分に、ケーブル接続材１のフランジ５を固定するための複数のねじ穴２３ａが設けられている。
【００２６】
図５（ａ）〜（ｃ）は、電力ケーブル用Ｙ分岐終端接続部を組立てるため導体接続金具を接続部本体に取り付ける手順を示す図である。以下に、導体接続金具３の接続部本体２０への取付方法及び保護カバー３３の処理方法について、図１、図２、図３、及び図５を参照しつつ説明する。
【００２７】
電力ケーブル１０には、その端末部に、図１に示した電力ケーブル用導体接続部１が予め装着されている。まず、作業者は、図５（ａ）に示すように、通電接触子保護部３３３で通電接触子３２が保護された状態の導体接続金具３を開口２２ａの近傍に配置する。
【００２８】
次に、作業者は、図５（ｂ）に示すように、保護カバー３３の通電接触子保護部３３３に外力を付与して接続片３３２Ａ，３３２Ｂを破断させることにより、通電接触子保護部３３３をカバー本体３３１から分離する。このとき、カバー本体３３１は、そのまま導体接続金具３の金具本体３１の装着部３Ａに装着された状態で残される。
【００２９】
次に、作業者は、導体接続金具３の中心を接続部本体２０の開口２２ａの中心に位置合わせした状態で、電力ケーブル用導体接続部１を開口２２ａの方向に前進させることによって開口２２ａに導体接続金具３を挿入する。電力ケーブル用導体接続部１のフランジ５が接続部本体２０に接触すると、作業者はその状態を維持しながら、ボルト２４をフランジ５のねじ孔を通して保護ケース２３のねじ穴２３ａにねじ込み、図５（ｃ）に示すようにフランジ５を保護ケース２３にねじ止めする。このことにより、電力ケーブル用導体接続部１が保護ケース２３に固定されるとともに、導体接続金具３の通電接触子３２が埋込金具２１に電気的に接続され、及びカバー本体３３１が導体接続金具３と一体になり接続部本体２０の挿入口２１ａに装着される。
【００３０】
以上の説明は、電力ケーブル１０の端末部の接続についてであるが、導体接続金具３及びカバー本体３３１が挿入口２１ｂ，２１ｃに挿入される図示しない電力ケーブルについても、電力ケーブル１０の導体接続金具３における接続と同様に接続される。
【００３１】
（第１の実施の形態の効果）
上記した第１の実施の形態によれば、下記の効果を奏する。
（１）電力ケーブル用導体接続部１は、導体接続金具３に保護カバー３３のカバー本体３３１を設けた構造であるため、導体接続金具３が接続部本体２０と接触しても、接続部本体２０の内周面に傷を付けたり金属粉を付着させることがなく、接続部本体２０の電気的特性を良好に維持することができる。
（２）導体接続金具３は、開口２２ａに挿入する直前まで、通電接触子３２が導体接続金具３の保護カバー３３の通電接触子保護部３３３によって覆われているので、通電接触子３２が外的な損傷を受けにくいものにできる。
（３）保護カバー３３の通電接触子保護部３３３は、外力を付加することで破断可能に形成された接続片３３２Ａ，３３２Ｂを介してカバー本体３３１に接続されているので、導体接続金具３を接続部本体２０に接続する際、カバー本体３３１から通電接触子保護部３３３をちぎり取るのみで直ちに接続作業を行うことができ、接続作業に支障を来たすことがなく、接続作業を迅速かつ効率的良く進めることができる。
（４）保護カバー３３のカバー本体３３１の材質を接続部本体２０の絶縁体２２の材質よりも柔らかくしたことにより、導体接続金具３は、接続作業中に金具本体３１に残されたカバー本体３３１が接続部本体２０の絶縁体２２の内面（開口２２ａの内面）を擦ったとしても、絶縁体２２の内面を傷付けないようにすることができる。
（５）通電接触子保護部３３３は、カバー本体３３１の外径よりも大きい外径を有することにより、両者を同一径で形成した場合に比べて通電接触子保護部３３３を捩じり易くなり、通電接触子保護部３３３をカバー本体３３１から容易にちぎり取って分離することができる。
（６）カバー本体３３１の外径は、通電接触子３２の外径と同じであるから、導体接続金具３全体を接続部本体２０に密着固定することができる。又は通電接触子３２の外径より僅かに小さくすることで、導体接続金具３と接続本体２０との接続点である導体接触子３２の接続に支障をきたすことがない。
【００３２】
［第２の実施の形態］
図６は、本発明の第２の実施の形態に係る電力ケーブル用導体接続金具の保護カバーの接続片部分の詳細を示し、（ａ）は接続片部分を部分的に見た図、（ｂ）は接続片部分の拡大図である。
【００３３】
図６（ａ）に示すように、第２の実施の形態では、接続片３３２Ａのカバー本体３３１側と通電接触子保護部３３３側とで部材幅が異なる形状としている。具体的には、図６（ｂ）に示すように、カバー本体３３１側の幅ｔ１に比べて通電接触子保護部３３３側の幅ｔ２を大きくしている。なお、上記した構成は図示しない接続片３３２Ｂについても同様である。
【００３４】
（第２の実施の形態の効果）
上記した第２の実施の形態によれば、カバー本体３３１から通電接触子保護部３３３を分離しようとする捩じり等の外力が付与されたとき、接続片３３２Ａを幅ｔ１の狭幅部分で的確に破断させることができるので、カバー本体３３１側には接続片３３２Ａの破断部分が突起状に残ることがなく、接続部本体２０の絶縁体２２をより傷付けにくいものにできる。
【００３５】
［第３の実施の形態］
図７は、本発明の第３の実施の形態に係る電力ケーブル用導体接続金具の保護カバーを示す正面図である。
第３の実施の形態は、第１の実施の形態において、保護カバー３３の通電接触子保護部３３３に破断補助部として１つ以上のミシン目３３４を軸方向に設けたものであり、その他の構成は第１の実施の形態と同様である。
【００３６】
（第３の実施の形態の効果）
第３の実施の形態によれば、ミシン目３３４を手で分離することにより通電接触子保護部３３３が帯状になるので、通電接触子の保護性を損なうことなく筒状の通電接触子保護部３３３をケーブル先端側から取り外すよりも容易に通電接触子保護部３３３を取り外すことができる。
【００３７】
［第４の実施の形態］
図８は、本発明の第４の実施の形態に係る電力ケーブル用導体接続金具の保護カバーを示す正面図である。
本実施の形態は、第１の実施の形態において、保護カバー３３の通電接触子保護部３３３に破断補助部として１つ以上のスリット３３５を軸方向に設けたものであり、その他の構成は第１の実施の形態と同様である。
【００３８】
（第４の実施の形態の効果）
第４の実施の形態の保護カバー３３においても、第３の実施の形態と同様に通電接触子保護部３３３をカバー本体３３１から帯状に容易に分離することができる。
【００３９】
なお、本発明は、上各実施の形態に限定されず、その要旨を変更しない範囲内で種々な変形が可能である。例えば、通電接触子保護部３３３は、ねじ込み、嵌め込み等の構造によってカバー本体３３１に接続されていても良い。
【図面の簡単な説明】
【００４０】
【図１】図１は、本発明の第１の実施の形態に係る電力ケーブル用導体接続部を示す概略図である。
【図２】図２は、図１に示す電力ケーブル用導体接続部の導体接続金具を示す部分拡大図である。
【図３】図３は、本発明の第１の実施の形態に係る電力ケーブル用導体接続金具の保護カバーを示し、（ａ）は側面図、（ｂ）は（ａ）のＢ方向から見た図、（ｃ）は（ｂ）のＣ−Ｃ部における断面図である。
【図４】電力ケーブル用Ｙ分岐終端接続部の接続部本体を部分的に示す断面図である。
【図５】図５（ａ）〜（ｃ）は、電力ケーブル用Ｙ分岐終端接続部を組立てるため導体接続金具を接続部本体に取り付ける手順を示す図である。
【図６】図６は、本発明の第２の実施の形態に係る電力ケーブル用導体接続金具の保護カバーの接続片部分の詳細を示し、（ａ）は接続片部分を部分的に見た図、（ｂ）は接続片部分の拡大図である。
【図７】図７は、本発明の第３の実施の形態に係る電力ケーブル用導体接続金具の保護カバーを示す正面図である。
【図８】図８は、本発明の第４の実施の形態に係る電力ケーブル用導体接続金具の保護カバーを示す正面図である。
【符号の説明】
【００４１】
１…電力ケーブル用導体接続部、２…ボルト、３…導体接続金具、４…プレモールドストレスコーン、５…フランジ、６…ケーブル保護金具、７…防水処理部、１０…電力ケーブル、１０ａ…導体、２０…接続部本体、２１…埋込金具、２１ａ，２１ｂ、２１ｃ…挿入口、２２…絶縁体、２２ａ，２２ｂ，２２ｃ…開口、２３…保護ケース、２３ａ…ねじ穴、２４…ボルト、３１…金具本体、３２…通電接触子、３３…保護カバー、３３１…カバー本体、３３２Ａ，３３２Ｂ…接続片、３３３…通電接触子保護部、３３４…ミシン目、３３５…スリット
【図１】
0004589423.tif 000002
【図２】
0004589423.tif 000003
【図３】
0004589423.tif 000004
【図４】
0004589423.tif 000005
【図５】
0004589423.tif 000006
【図６】
0004589423.tif 000007
【図７】
0004589423.tif 000008
【図８】
0004589423.tif 000009